【事件の表示】
　特願２００１−２１１５８９「タッチパネル式暗証番号入力装置。」拒絶査定不服審判事件〔平成１５年　１月３１日出願公開、特開２００３−　２９９２９〕について、次のとおり審決する。
【結　論】
　本件審判の請求は、成り立たない。
【理　由】
１．手続の経緯
　本願は、平成１３年７月１２日の出願であって、平成１８年３月２４日付けで拒絶査定がなされ、これに対し、同年５月８日に拒絶査定不服審判が請求されるとともに、同年６月６日付けで手続補正がなされたものである。
　
２．平成１８年６月６日付けの手続補正についての補正却下の決定
　
［補正却下の決定の結論］
　平成１８年６月６日付けの手続補正を却下する。
　
［理由］
（１）補正後の本願発明
　本件補正により、補正前の特許請求の範囲（平成１８年３月３日付けで補正）の請求項１は、次のように補正された。
　
補正前：
    【請求項１】
　複数の表示領域のそれぞれに数字、文字、記号等を含む表示データを表示するデータ表示手段と、前記各表示領域への接触を検出しこの表示領域に表示中の表示データを入力対象の暗証番号の各桁を構成する入力データとして入力するデータ入力手段と、前記各表示領域と前記各表示データとの組合せを無作為的に又は準無作為的に変更する表示データ変更手段を備えたタッチパネル式暗証番号入力装置において、
　挿入されたカードに登録中の暗証番号を読み取って前記データ入力手段に入力された暗証番号と照合する手段と、
　この照合結果が一致する場合は収納庫又は部屋の扉の自動開閉機構を起動し、一致しない場合は警報を発生する手段と
　を備えたことを特徴とするタッチパネル式暗証番号入力装置。
　
補正後：
    【請求項１】
　複数の表示領域のそれぞれに数字、文字、記号等を含む表示データを表示するデータ表示手段と、前記各表示領域への接触を検出しこの表示領域に表示中の表示データを入力対象の暗証番号の各桁を構成する入力データとして入力するデータ入力手段と
を備えたタッチパネル式暗証番号入力装置において、
　
と
　挿入されたカードに登録中の暗証番号を読み取って前記データ入力手段に入力された暗証番号と照合する手段と、
　この照合結果が一致する場合は収納庫又は部屋の扉の自動開閉機構を起動し、一致しない場合は警報を発生する手段とを備えたこと
と、
　前記にカードに登録される暗証番号をカードごとに異ならせたこと
　と
　
　ただし、下線は補正箇所を表す。　
　請求項２から請求項５は本件補正により記載が変化していない。
　
　本件補正は、請求項１に記載した発明を特定するために必要な事項に対し、新たに「前記にカードに登録される暗証番号をカード毎に異ならせたこと」との限定を付加するものであって、特許法１７条の２第４項２号の特許請求の範囲の減縮を目的とするものに該当する。ただし、当該限定の「前記にカード」は「前記カード」の明らかな誤記であると認める。
　
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
　本願補正発明は、平成１８年６月６日付け手続補正書により補正された明細書及び図面の記載からみて、その請求項１の「前記にカード」との記載は「前記カード」の明らかな誤記であると認め、次の事項により特定されるとおりのものと認める。
　
　「複数の表示領域のそれぞれに数字、文字、記号等を含む表示データを表示するデータ表示手段と、前記各表示領域への接触を検出しこの表示領域に表示中の表示データを入力対象の暗証番号の各桁を構成する入力データとして入力するデータ入力手段とを備えたタッチパネル式暗証番号入力装置において、
　前記各表示領域と前記各表示データとの組合せを無作為的に又は準無作為的に変更する表示データ変更手段と、
　挿入されたカードに登録中の暗証番号を読み取って前記データ入力手段に入力された暗証番号と照合する手段と、
　この照合結果が一致する場合は収納庫又は部屋の扉の自動開閉機構を起動し、一致しない場合は警報を発生する手段とを備えたことと、
　前記カードに登録される暗証番号をカードごとに異ならせたこと
　とを特徴とするタッチパネル式暗証番号入力装置。」　
　
（２）刊行物
１．特開２０００−２０４７０号公報（原査定で引用された刊行物）
２．特開昭６２−８２４９０号公報
３．特開平５−２０２６５８号公報
４．特開平１０−１２１８０４号公報
５．特開昭６３−２８９１８２号公報
６．特開昭６３−１４９６７号公報
　
（２−１）刊行物１の記載
　刊行物１には、図面と共に、以下の事項が記載されている。
　
（ア）第０００１段落
【０００１】
【発明の属する技術分野】本発明は、ＩＣカードを使用した電子決済装置として用いられる携帯端末装置に関し、特に暗証番号入力に関するものである。
　
（イ）第０００３段落
【０００３】
【発明が解決しようとする課題】しかし上記従来の技術のように、携帯端末装置に目隠し版を取り付けた方式では、確かに携帯端末装置のスイッチキ−（テンキ−）の部分は見えにくくなるが、手の動きは見えてしまうため、第３者が携帯端末装置に設けられたスイッチキー（テンキ−）の配置さえ判っていれば、使用者の入力した暗証番号が予想できてしまうという問題があった。また、携帯端末装置であるため、手の動きまで隠すような大きな目隠し版を取り付けることは、携帯端末装置の大きさと目隠し版の大きさを考えた場合には困難になるという課題があった。
　
（ウ）第０００６段落から第０００９段落
【０００６】
【実施例】以下、本発明の実施例を添付図面を参照して説明する。図１は本発明を適用する携帯端末装置１の構成を示したブロック図である。参照符号２はＣＰＵで、ＲＯＭ３またはＲＡＭ４に格納されたプログラムに従い、アプリケーションプログラム等の所定の処理を実行する。参照符号５は表示装置で上記ＣＰＵ２から供給される文字情報あるいは図形情報を表示し、ＬＣＤにより構成される。参照符号６は暗証番号等を入力する為の入力手段たるキー入力部で、数値キ−及び各種ファンクションキーからなる。参照符号７は通信部で、他に設けられているホストコンピュータ８とＣＰＵ２との間のデータの授受に使用される。参照符号９はカレンダ時計で、副電池（図示せず）によりバックアップされており、年月日時分秒の情報を発生する。参照符号１０はタッチパネルで、表示装置（ＬＣＤ）５の表示面上に配置され、使用者（図示せず）が指で触れた位置を座標データとして電圧値に変換し、上記ＣＰＵ２に送信する。参照符号１１はＩＣカ−ドリ−ダ−部であり、使用者がＩＣカ−ド（図２、３参照）を差し込む部分である。プリンタ部１２は、蓄積したデ−タやＩＣカ−ドの状態をプリントする為の部分であり、内部にはロ−ル紙（図示せず）が内蔵されている。参照符号１３はブザ−であり、ＣＰＵ２からの指令により各種警告音を発する。
【０００７】次に図２を参照して説明する。参照符号１３は覆いであり上記キ−入力部６で使用者が暗証番号を入力する時に、暗証番号を知られるのを防止する為に取り付けられている。使用者（図示せず）が、ＩＣカード１４を携帯端末のＩＣカードリ−ダ部１１に差し込むと、ＩＣカードリ−ダ部１１内に配置されたカード検出センサ（図示せず）より、ＣＰＵ２にカード検出信号が送出される。ＣＰＵ２は、このカード検出信号を受けると、ＩＣカードリーダー部１１でＩＣカード１４と通信を行うとともに、表示装置（ＬＣＤ）５に、使用者の暗証番号を入力するようにメッセージを表示する。使用者は、ＬＣＤ画面上に表示された番号ボタンエリアを触れることにより、タッチパネル１０で暗証番号を入力するわけだが、第三者に押しているボタンの番号が知られる事が無い様に、ＣＰＵ２は、乱数を使い毎回ＬＣＤ上の番号ボタンの並びを変化させる。
【０００８】次に上記した乱数を使用して、毎回ＬＣＤ上の番号ボタンの並びを変化させる仕組みを詳述すると、図２に図示するように１２個設けられている釦に０〜９迄の１０個の数字と、ＢＳ、Ｃの２個の文字、合計１２個の記号を割り振る。先ず記号０を割り振る為に１２個の数字で乱数を発生させ、それによって定まった数字に対応する釦に記号０を割り当てる。記号０を割り当てられた数字以外の１１個の数字で乱数を発生させ、それによって定まった釦に１を割り当てる。この手順を順に行うことによって１２個のボタンに、１２個の記号を割り振ることにより行う。
【０００９】使用者がキ−入力部６に触れると、ＬＣＤ１０上に配置されたタッチパネルが使用者の触れた座標を検知しＣＰＵ２に送出する。ＣＰＵ２はタッチパネルより送られた座標信号と、ＣＰＵ２自身がＬＣＤ１０に表示した番号ボタンの座標より使用者が押下した番号を認識する。携帯端末装置１は、使用者が入力した暗証番号をＩＣカード１４に送信する。ＩＣカード１４は、ＩＣカード内に保存された暗証番号と携帯端末装置より送られた暗証番号が一致した場合、使用者がＩＣカード１４の持ち主であると認め、予め定められた処理を開始する。
　
　以上の刊行物１の記載によれば、刊行物１には、次の発明（以下、「刊行物１記載発明」という。）が記載されていると認められる。
　
　「ＩＣカードを使用した電子決済装置として用いられる携帯端末装置であり、暗証番号入力に関するものにおいて、
　手の動きは見えてしまうため、第３者が携帯端末装置に設けられたスイッチキー（テンキ−）の配置さえ判っていれば、使用者の入力した暗証番号が予想できてしまうという問題を解決するものであって、
　ＣＰＵ２と、
　ＣＰＵ２から供給される文字情報あるいは図形情報を表示し、ＬＣＤにより構成される示装置５と、
　数値キ−及び各種ファンクションキーからなる暗証番号等を入力する為の入力手段たるキー入力部６と、
　表示装置（ＬＣＤ）５の表示面上に配置され、使用者が指で触れた位置を座標データとして電圧値に変換し、上記ＣＰＵ２に送信するタッチパネル１０と、
　使用者がＩＣカ−ドを差し込む部分であるＩＣカ−ドリ−ダ−部１１とを備え、
　ＩＣカード１４を携帯端末のＩＣカードリ−ダ部１１に差し込むと、ＩＣカードリ−ダ部１１内に配置されたカード検出センサより、ＣＰＵ２にカード検出信号が送出され、
　ＣＰＵ２は、このカード検出信号を受けると、ＩＣカードリーダー部１１でＩＣカード１４と通信を行うとともに、
　表示装置（ＬＣＤ）５に、使用者の暗証番号を入力するようにメッセージを表示し、
　使用者は、ＬＣＤ画面上に表示された番号ボタンエリアを触れることにより、タッチパネル１０で暗証番号を入力し、
　その際、第三者に押しているボタンの番号が知られる事が無い様に、ＣＰＵ２は、乱数を使い毎回ＬＣＤ上の番号ボタンの並びを変化させ、
　上記ＬＣＤ上の番号ボタンの並びを変化させる仕組みは、
　１２個設けられている釦に０〜９迄の１０個の数字と、ＢＳ、Ｃの２個の文字、合計１２個の記号を割り振り、
　先ず記号０を割り振る為に１２個の数字で乱数を発生させ、それによって定まった数字に対応する釦に記号０を割り当て、
　記号０を割り当てられた数字以外の１１個の数字で乱数を発生させ、それによって定まった釦に１を割り当て、
　この手順を順に行うことによって１２個のボタンに、１２個の記号を割り振ることにより行うものであり、
　使用者がキ−入力部６に触れると、ＬＣＤ１０上に配置されたタッチパネルが使用者の触れた座標を検知しＣＰＵ２に送出し、
　ＣＰＵ２はタッチパネルより送られた座標信号と、ＣＰＵ２自身がＬＣＤ１０に表示した番号ボタンの座標より使用者が押下した番号を認識し、
　携帯端末装置１は、使用者が入力した暗証番号をＩＣカード１４に送信し、
　ＩＣカード１４は、ＩＣカード内に保存された暗証番号と携帯端末装置より送られた暗証番号が一致した場合、使用者がＩＣカード１４の持ち主であると認め、予め定められた処理を開始する
　携帯端末装置。」
　
（２−２）刊行物２の記載
　刊行物２には、図面と共に、以下の事項が記載されている。
　
（エ）第４頁右上欄第６行から左下欄第７行
すると、ＣＰＵ３はデータメモリ４に最終的に記録されている暗証番号と、ゲート番号を読出し、ＣＰＵ７５に出力する（ＳＴ１４）。この結果、ＣＰＵ７５は供給される暗証番号、ゲート番号をＲＡＭ１５へ記憶するとともに、表示器７８を点灯し、入室者にキー入力可を案内する（ＳＴ１５）。この案内に応じて、入室者はキーボード７４により暗証番号を入力する（ＳＴ１６）。すると、ＣＰＵ７５はＲＡＭ１５のＩＣカード１から読出した暗証番号と投入された暗証番号とを照合せしめる（ＳＴ１７）。これにより、ＣＰＵ７５は一致する場合（ＳＴ１８）、あらかじめＣＰＵ７５の内部メモリ（図示しない）に記憶されているゲート番号と、ＲＡＭ１５のＩＣカード１から読出したゲート番号とを照合せしめる（ＳＴ１９）、これにより、ＣＰＵ７５は一致する場合（ＳＴ２０）、ゲート開閉機構７６を駆動して、ゲート４５を開放せしめ（ＳＴ２１）、ＩＣカード１をカード挿入口７３から排出する（ＳＴ２２）。この開放により、入室者はゲート４５を通過して入室することができる。
　
（２−３）刊行物３の記載
　刊行物３には、図面と共に、以下の事項が記載されている。
　
（オ）第００２１段落及び第００２２段落
【００２１】判断の結果、個人用ＩＣカード11が正規のものであれば管理用ＩＣカード12からのＯＫ信号によりゲイト13が開き、個人用ＩＣカード11にＰＩＮ入力が特に記憶されている場合は（ステップハ）、入力指示が表示器２に表示され（ステップニ）、入力用のテンキー３でＰＩＮ入力を行えばＰＩＮが、個人用ＩＣカード11に入力し、記憶されているＰＩＮと照合され、両者が合致すれば（ステップホ）、個人用ＩＣカードリーダーライター５から個人用ＩＣカード11に記憶されている入室許可データがゲイト13を介して入室条件判断手段14に送られ、ここで個人用ＩＣカード11が挿入された年月日時間が、当該カード11に記憶の有効年月日例えば1993，３, 31、有効使用時間帯「07：00〜20：00」に適合しているか否か判断され、適合していればＯＫ信号がアンド回路20に出力される（ステップヘ）。
【００２２】さらに個人用ＩＣカード11に記憶されている他の入室許可データとして本人確認のための会社コード例えば「9826」、個人コード例えば「2367」がコード判断手段15に送られ、ここで記憶部19に記憶されているコードと照合されて両者が一致すればＯＫ信号がアンド回路20に出力される( ステップト）。これによりアンド回路20からのＯＫ信号が錠開信号として錠８に入力し、錠８が開く（ステップチ）。
　
（２−４）刊行物４の記載
　刊行物４には、図面と共に、以下の事項が記載されている。
　
（カ）第０００２段落
【０００２】
【従来の技術】電気錠を組込んだ玄関の扉の解錠は、玄関子機から入力された呼出し信号に応答した室内親機側からの解錠操作によるか、玄関に外設された暗証番号装置から予め設定されている暗証番号を入力するか、場合によっては鍵を使用する。暗証番号を入力して解錠する場合、入力された暗証番号が登録されている暗証番号と一致するかどうかの判定は、通常、親機側のＣＰＵでなされる。
　
（キ）第０００４段落
【０００４】この暗証番号装置で、番号表示部１０が数字をランダムに表示するのは、常時同じ位置に同じ数字を表示し続けると、特定箇所の透明スイッチ部２０の汚れが目立ち、他人に暗証番号を解読されてしまう危険を回避するためである。
　
（２−５）刊行物５の記載
　刊行物５には、図面と共に、以下の事項が記載されている。
　
（ク）第１頁右下欄第９行から第１８行
　近来のビル管理においては、インテリジェント・ビルと称し、空調、照明、人員の出入、防犯等、複数の管理事項を総合的に管理する手法が採用されており、この目的上、人員の出入管理には、立入を許容する人員に対してパスワードを記憶させておき、立入に際してキーボードによりパスワードの入力操作を行なわせ、パスワードの照合による正誤判断を制御装置により行ない、これらが正規との判断によつて電気錠の解錠による立入許容を行なうものとなっている。
　
（ケ）第１頁右下欄第１９行から第２頁左上欄第１行
　パスワードを誤つて入力したとき、不正行為を監視する目的により、通常は、１回誤つた際、これに応じて警報の送出を行なうものとしている。
　
（２−６）刊行物６の記載
　刊行物６には、図面と共に、以下の事項が記載されている。
　
（コ）第２頁右下欄第８行から第１３行
　圖１參照。本発明の主な目的は、一種の極めて薄いカード式構造を有するキイで、これを錠のカギ穴に差込むと、普通の開錠動作を經過し、又カード上には数字があつて、設定数字をタツチした後始めて開錠する錠前を提供するものである。
　
（サ）第３頁左上欄第１２行から第１３行
　又コードナンバーが間違つていたり、制動がまだ開かれてい場合も警報が鳴る。
　
（３）対比
　本願補正発明と刊行物１記載発明とを以下で対比する。
　
　刊行物１記載発明の「キー入力部６」は「使用者がキ−入力部６に触れると、ＬＣＤ１０上に配置されたタッチパネルが使用者の触れた座標を検知しＣＰＵ２に送出し、ＣＰＵ２はタッチパネルより送られた座標信号と、ＣＰＵ２自身がＬＣＤ１０に表示した番号ボタンの座標より使用者が押下した番号を認識」するものであり、「ＬＣＤ」は「表示装置（ＬＣＤ）５」であり、ＣＰＵ２から供給される文字情報あるいは図形情報を表示し、番号ボタンを表示するものであり、「タッチパネル１０」はＬＣＤに表示された番号ボタンに対応する座標をＣＰＵ２に送出して押下された番号を認識するものであるから、刊行物１記載発明と本願補正発明とは「複数の表示領域のそれぞれに数字、文字、記号等を含む表示データを表示するデータ表示手段と、前記各表示領域への接触を検出しこの表示領域に表示中の表示データを入力対象の暗証番号の入力データとして入力するデータ入力手段とを備えたタッチパネル式暗証番号入力装置」である点で共通する。
　
　刊行物１記載発明の「ＣＰＵ２」は「乱数を使い毎回ＬＣＤ上の番号ボタンの並びを変化させ」るものであるから、本願補正発明の「前記各表示領域と前記各表示データとの組合せを無作為的に又は準無作為的に変更する表示データ変更手段」に相当する。
　
　刊行物１記載発明の「ＩＣカード１４」は、ＩＣカード内に保存された暗証番号と携帯端末装置より送られた暗証番号が一致した場合、使用者がＩＣカード１４の持ち主であると認め、予め定められた処理を開始するものであるから、刊行物１記載発明と本願補正発明とは「挿入されたカードに登録中の暗証番号と前記データ入力手段に入力された暗証番号とを照合する手段」を備える点で共通する。
　
　すると、本願補正発明と刊行物１記載発明との一致点及び相違点は、以下のとおりである。
　
＜一致点＞
　「複数の表示領域のそれぞれに数字、文字、記号等を含む表示データを表示するデータ表示手段と、前記各表示領域への接触を検出しこの表示領域に表示中の表示データを入力対象の暗証番号の入力データとして入力するデータ入力手段とを備えたタッチパネル式暗証番号入力装置において、
　前記各表示領域と前記各表示データとの組合せを無作為的に又は準無作為的に変更する表示データ変更手段と、
　挿入されたカードに登録中の暗証番号と前記データ入力手段に入力された暗証番号とを照合する手段とを備えたことを特徴とするタッチパネル式暗証番号入力装置。」
　
＜相違点１＞
　本願補正発明ではデータ入力手段で入力されたデータが暗証番号の各桁を構成しているのに対し、刊行物１記載発明では、入力されたデータが暗証番号の各桁を構成しているか否かが明らかではない点。
　
＜相違点２＞
　暗証番号を照合する箇所に関し、本願補正発明では、タッチパネル式暗証番号入力装置に備えられた照合する手段において、挿入されたカードに登録中の暗証番号を読み取ってデータ入力手段に入力された暗証番号と照合しているのに対し、刊行物１記載発明では、入力された暗証番号がＩＣカードに送信され、ＩＣカードが暗証番号の照合を行っている点。
　
＜相違点３＞
　本願補正発明は、暗証番号の照合結果が一致する場合は収納庫又は部屋の扉の自動開閉機構を起動し、一致しない場合は警報を発生するものであるのに対し、刊行物１記載発明は、暗証番号の照合結果が一致する場合に予め定められた処理を開始する電子決済装置である点。
　
＜相違点４＞
　本願補正発明は、カードに登録される暗証番号をカードごとに異ならせているのに対し、刊行物１記載発明は、カードに登録される暗証番号がカードごとに異なっているか否かが明らかではない点。
　
（４）判断
　
（４−１）相違点１について
　暗証番号はセキュリティ上の観点から、複数桁の番号で構成されることが一般的であるので、刊行物１記載発明においても、暗証番号を複数桁とし、タッチパネルで検出された数字を暗証番号の各桁を構成するものとして入力するようにすることは、当業者が容易になし得ることである。
　
（４−２）相違点２について
　カードから読出した暗証番号と入力された暗証番号とを照合するものは、例えば刊行物２（上記摘記事項（エ）を参照）に記載されているように、周知である。
　暗証番号の照合をカードに行わせるかカード以外で行うかは適宜設計すべき事項である。
　
（４−３）相違点３について
　カードとキー入力手段とを用い、カードに記憶された暗証番号とキー入力手段から入力された暗証番号とを照合し、その結果に応じて扉を開く装置は、例えば刊行物２及び刊行物３に記載されているように、周知技術である（刊行物２については上記摘記事項（エ）を、刊行物３については上記摘記事項（オ）を参照）。
　刊行物１記載発明と上記周知技術とは、共にカードとキー入力手段とを用いカードに記憶された暗証番号とキー入力手段から入力された暗証番号とを照合する機構を持つ点で共通するものである。
　加えて、刊行物１記載発明の課題は、手の動きは見えてしまうため、第３者が携帯端末装置に設けられたスイッチキー（テンキ−）の配置さえ判っていれば、使用者の入力した暗証番号が予想できてしまうという問題を解決しようとするものであり、この課題は暗証番号を第三者に知られないようにする必要から生じているものであるから、暗証番号をキー入力手段から入力して照合を行う機構全てに共通する課題である。
　さらに、暗証番号をキー入力手段から入力して照合を行って扉を開く装置においては、常時同じ位置に同じ数字を表示し続けると、特定箇所のスイッチの汚れが目立ち、他人に暗証番号を解読されてしまうという問題も知られている（刊行物４について上記摘記事項（キ）参照）。
　してみれば、カードに記憶された暗証番号とキー入力手段から入力された暗証番号とを照合してその結果に応じて扉の開閉する周知の装置に対し、手の動きやキー入力手段の汚れから暗証番号が第三者に漏洩する危険を防止するために、刊行物１記載発明のようにキーの配列を無作為に変更するような入力機構を適用することは、当業者が容易になし得ることである。
　また、暗証番号の照合により扉を開くような周知の装置において、暗証番号の照合に失敗した場合に警報を発するようにすることは、周知技術である（例えば、刊行物５に関する上記摘記事項（ケ）及び刊行物６に関する上記摘記事項（サ）を参照）。
　
（４−４）相違点４について
　暗証番号をカードに記憶させているならば、カード毎に暗証番号を異ならせるのが、機密情報の管理上、当然なことである。
　
（４−５）
　上記（４−１）から（４−４）のとおり、本願補正発明は、刊行物１記載発明及び周知技術に基いて容易に発明をすることができたものであるから、特許法第２９条第２項の規定により、特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成１８年６月６日付けの手続補正は上記のとおり却下されたので、本願の請求項１に係る発明（以下、「本願発明」という。）は、平成１８年３月３日付け手続補正書の特許請求の範囲の請求項１に記載された事項により特定される、以下のとおりのものである。
　
　「複数の表示領域のそれぞれに数字、文字、記号等を含む表示データを表示するデータ表示手段と、前記各表示領域への接触を検出しこの表示領域に表示中の表示データを入力対象の暗証番号の各桁を構成する入力データとして入力するデータ入力手段と、前記各表示領域と前記各表示データとの組合せを無作為的に又は準無作為的に変更する表示データ変更手段を備えたタッチパネル式暗証番号入力装置において、
　挿入されたカードに登録中の暗証番号を読み取って前記データ入力手段に入力された暗証番号と照合する手段と、
　この照合結果が一致する場合は収納庫又は部屋の扉の自動開閉機構を起動し、一致しない場合は警報を発生する手段と
　を備えたことを特徴とするタッチパネル式暗証番号入力装置。」　
　
（１）刊行物
　原査定の拒絶の理由に引用された引用例、及びその記載事項は、前記「２．（２）」に記載したとおりである。　
　
（２）対比・判断
　本願発明は、前記２．で検討した本願補正発明から「カードに登録される暗証番号をカードごとに異ならせた」との構成を省いたものである。
　そうすると、本願発明の構成要件をすべて含み、さらに他の構成要件を付加したものに相当する本願補正発明が、前記２．（４）に記載したとおり、上記刊行物に記載された発明に基づいて、当業者が容易に発明をすることができたものであるから、本願発明も同様の理由により、刊行物１記載発明及び周知技術に基いて、当業者が容易に発明をすることができたものである。　
　
（３）むすび
　以上のとおり、本願発明は、刊行物１記載発明及び周知技術に基いて、当業者が容易に発明をすることができたものであるから、特許法第２９条２項の規定により特許を受けることができない。
　
　よって、結論のとおり審決する。